(57)【要約】本発明は暖房設備であって、第１の媒体を備える第１の回路（Ｋ１）と、第２の媒体を備える第２の回路（Ｋ２）と、第１の回路（Ｋ１）内に配置され、第１の媒体を加熱するための第１のヒートポンプ（２）と、第３の媒体を備える第３の回路（Ｋ３）と、第３の回路（Ｋ３）内に配置され、かつ、熱を第１のヒートポンプの作動媒体から第３の回路（Ｋ３）内の第３の媒体に伝導するために、第１のヒートポンプのコンデンサ（２ｄ）と膨張弁（２ｆ）との間に接続される熱交換器（４０）と、第３の回路（Ｋ３）内の第３の媒体から、熱エネルギーを吸収することによって第２の回路（Ｋ２）内の第２の媒体を加熱するように配置される第２のヒートポンプ（３）と、を備える暖房設備に関する。【選択図】図１
2008522125.tif 000002
【特許請求の範囲】
【請求項１】
暖房設備であって、第１の媒体を含有する第１の回路（Ｋ１）と、第２の媒体を含有する第２の回路（Ｋ２）と、前記第１の回路（Ｋ１）内の前記第１の媒体を加熱するために前記第１の回路（Ｋ１）内に配置される、ここで第１のヒートポンプと称される、ヒートポンプ（２）の形の第１の熱生成装置と、を備え、前記暖房設備は、
−第３の媒体を含有する第３の回路（Ｋ３）と、
−  熱を前記第１のヒートポンプの作動媒体から前記第３の回路（Ｋ３）内の前記第３の媒体に伝導するために、前記第３の回路（Ｋ３）内に配置され、かつ、前記第１のヒートポンプのコンデンサ（２ｄ）と膨張弁（２ｆ）との間に接続される、ここで第１の熱交換器と称される、熱交換器（４０）と、
−  前記第３の回路（Ｋ３）内の前記第３の媒体から、熱エネルギーを吸収することによって前記第２の回路（Ｋ２）内の前記第２の媒体を加熱するために配置される、ここで第２のヒートポンプと称される、ヒートポンプ（３）の形の第２の熱生成装置と、を更に備えることを特徴とする暖房設備。
【請求項２】
前記第２のヒートポンプ（３）は、前記第２の回路（Ｋ２）内の前記第２の媒体と前記ヒートポンプの前記コンデンサ（３ｄ）との間の熱交換が可能であるように、前記第２の回路（Ｋ２）に接続されるその出力側を有し、かつ、前記第３の回路（Ｋ３）内の前記第３の媒体と前記ヒートポンプのエバポレータ（３ｃ）との間の熱交換が可能であるように、前記第３の回路（Ｋ３）に接続されるその入力側を有する、ことを特徴とする請求項１に記載の暖房設備。
【請求項３】
前記第２のヒートポンプの前記エバポレータ（３ｃ）は、前記第１の熱交換器（４０）と直列に、前記第３の回路（Ｋ３）内に配置される、ことを特徴とする請求項２に記載の暖房設備。
【請求項４】
前記暖房設備は、熱を前記第３の回路（Ｋ３）内の前記第３の媒体から前記第２の回路（Ｋ２）内の前記第２の媒体に伝導するために、前記第１の熱交換器（４０）と直列に前記第３の回路（Ｋ３）内に配置される、ここで第２の熱交換器と称される、更なる熱交換器（４２）を備える、ことを特徴とする先行する請求項のうちいずれかに記載の暖房設備。
【請求項５】
前記第２の熱交換器（４２）および前記第２のヒートポンプの前記エバポレータ（３ｃ）は、互いに直列に前記第３の回路（Ｋ３）内に配置される、ことを特徴とする請求項４に記載の暖房設備。
【請求項６】
前記第２の熱交換器（４２）は、前記第２のヒートポンプの前記コンデンサ（３ｄ）の上流で前記第２の回路（Ｋ２）に接続される、ことを特徴とする請求項４あるいは５に記載の暖房設備。
【請求項７】
前記暖房設備は、前記第３の媒体を蓄積するために前記第１の熱交換器（４０）と直列に、前記第３の回路（Ｋ３）内に配置される蓄熱器（４４）を備える、ことを特徴とする先行する請求項のうちいずれかに記載の暖房設備。
【請求項８】
前記暖房設備は、熱を第４の媒体、たとえば周囲空気から前記第３の回路（Ｋ３）内の前記第３の媒体まで伝導するために、前記第１の熱交換器（４０）と直列に前記第３の回路（Ｋ３）内に配置される、ここで第３の熱交換器と称される、更なる熱交換器（４５）を備える、ことを特徴とする先行する請求項のうちいずれかに記載の暖房設備。
【請求項９】
前記暖房設備は、熱を前記第１の回路（Ｋ１）内の第１の媒体から前記第２の回路（Ｋ３）内の前記第２の媒体まで、あるいはその逆に伝導するために、前記第１の回路（Ｋ１）内に配置される、ここで第４の熱交換器と称される、更なる熱交換器（２１）を備える、ことを特徴とする先行する請求項のうちいずれかに記載の暖房設備。
【請求項１０】
前記第２のヒートポンプ（３）は、前記第２の媒体を蓄積するために前記第２の回路（Ｋ２）内に配置される蓄熱器（２７）に接続される、ことを特徴とする先行する請求項のうちいずれかに記載の暖房設備。
【請求項１１】
前記第４の熱交換器（２１）もまた、前記第２の回路（Ｋ２）内に配置される前記蓄熱器（２７）に接続されている、ことを特徴とする請求項９と組み合わせた請求項１０に記載の暖房設備。
【請求項１２】
前記暖房設備は、熱を前記第２のヒートポンプの前記作動媒体から前記第１の回路（Ｋ１）内の前記第１の媒体に伝導するために、前記第１の回路（Ｋ１）内に配置され、かつ前記第２のヒートポンプの前記コンデンサ（３ｄ）と前記膨張弁（３ｆ）との間に接続される、ここで第５の熱交換器と称される、更なる熱交換器（４６）を備える、ことを特徴とする先行する請求項のうちいずれかに記載の暖房設備。
【請求項１３】
前記暖房設備は、前記第１の回路（Ｋ１）内の前記第１の媒体を加熱するための、前記第１の回路（Ｋ１）内に配置される、たとえば加熱ボイラの形の、第３の熱生成装置（４）を備える、ことを特徴とする先行する請求項のうちいずれかに記載の暖房設備。
【請求項１４】
蛇口温水を供給するための、前記第２の回路（Ｋ２）内の前記第２の媒体が前記蛇口温水を供給するために加熱される水からなる、請求項１−１３のいずれかに記載の暖房設備の使用法。
【請求項１５】
第２の回路（Ｋ２）内の第２の媒体を加熱するための、ここで第１のヒートポンプと称される、ヒートポンプ（２）の形の少なくとも一つの第１の熱生成装置によって実行可能な第１の回路（Ｋ１）内の第１の媒体に対する熱生成、のための方法であって、
−  前記第１のヒートポンプ（２）の作動媒体から第３の回路（Ｋ３）内の第３の媒体への熱伝導が、前記第１のヒートポンプのコンデンサ（２ｄ）と膨張弁（２ｆ）との間に接続される熱交換器（４０）によって実行され、および、
−  この第２の回路（Ｋ２）内の前記第２の媒体の加熱は、前記第３の回路（Ｋ３）内の前記第３の媒体から熱エネルギーを吸収することによって、ここで第２のヒートポンプと称される、ヒートポンプ（３）の形の第２の熱生成装置によって実行される、ことを特徴とする方法。
【発明の詳細な説明】
【技術分野】
【０００１】
本発明は、請求項１の序文に記載の暖房設備および請求項１５の序文に記載の方法に関する。本発明は、また、蛇口温水を供給するための本発明に従う暖房設備の使用法に関する。
【背景技術】
【０００２】
請求項１の序文に記載の暖房設備は、特許文献ＷＯ００／３２９９２  Ａ１からすでに公知である。このすでに公知の暖房設備は、熱を第１の回路内の第１の媒体から第２の回路内の第２の媒体に伝導するために、たとえば蛇口温水の形の、第２の媒体を備える第２の回路内に配置される熱交換器の形の、２台のあるいは３台の熱伝導装置を備える。加熱ボイラの形の第１の熱生成装置およびヒートポンプの形の第２の熱生成装置が、第１の回路内の第１の媒体に熱を生成するために、前記第１の回路内に配置される。前記熱伝導装置によって、第２の回路内の第２の媒体を所望の目的温度まで徐々に加熱することが可能である。このすでに公知の暖房設備は、蛇口温水の加熱のための暖房設備の一次エネルギー源として、同じくラジエータとしてヒートポンプを大いに使用することを可能にするが、一方、加熱ボイラは、暖房設備の運転費を減らす、一般の暖房要求を満たすために比較的高負荷においてだけの運転を必要とする。
【発明の開示】
【発明が解決しようとする課題】
【０００３】
本発明の目的は、暖房設備内に含まれるヒートポンプの効率的な利用を可能にする暖房設備および方法を達成することである。
本発明に従って、前記目的は、請求項１に示す特徴を有する暖房設備および請求項１５に示す特徴を有する方法によって達成される。
本発明の解決策は、熱をヒートポンプの作動媒体から第３の回路内の第３の媒体に伝導するために、第１のヒートポンプのコンデンサと膨張弁との間に接続される熱交換器が用いられ、第３の回路内の第３の媒体から熱エネルギーを吸収することによって、第２の回路内の第２の媒体を加熱するために、ここで第２のヒートポンプと称される、更なるヒートポンプが配置されることを包含する。第２の回路内の第２の媒体は、好ましくは蛇口温水を供給するために加熱されることを目的とする水である。第２のヒートポンプによる前記加熱は、蛇口温水を所望の温度に加熱するためのプロセスにおける最終的加熱ステップ、すなわち蛇口温水の最終的加熱を適切に構成する。本発明の解決策によって、第１のヒートポンプが動作中である場合、第１のヒートポンプの作動媒体の余剰熱が、第２の回路内の第２の媒体に温度上昇を与えるために用いられる。第２の媒体の加熱にヒートポンプの作動媒体の前記余剰熱を利用することによって、それを浪費する代わりに、ヒートポンプの効率の向上が、得られる。
本発明の好ましい実施態様によれば、この暖房設備は、熱を第３の回路内の第３の媒体から第２の回路内の第２の媒体に伝導するために、第１の熱交換器と直列に第３の回路内に配置される、ここで第２の熱交換器と称される、更なる熱交換器を備える。この熱伝導は、蛇口温水を所望の温度に加熱するためのプロセスの第１の初期の加熱ステップ、すなわち蛇口温水の予加熱を適切に構成する。また、この加熱ステップで、第１のヒートポンプが動作中である場合、第１のヒートポンプの作動媒体の余剰熱が前記第２の媒体に温度上昇を与えるために用いられ、それによって、その後の加熱ステップあるいはその後の複数の加熱ステップにおいて第２の媒体の温度を所望の目的温度に上昇させるのに必要とされるエネルギーは対応して減少する。第２の熱交換器によって、第３の回路内の熱エネルギーを使用して、第２のヒートポンプが動作中である必要がなく、第２の回路内の第２の媒体を加熱することもまた可能である。
本発明の別の好ましい実施態様によれば、この暖房設備は、第１の熱交換器と直列に第３の回路内に配置され、熱を第４の媒体、たとえば周囲空気から第３の回路内の第３の媒体に伝導するための、ここで第３の熱交換器と称される、更なる熱交換器を備える。この第３の熱交換器は、第１の熱交換器を補助することができ、かつ第２のヒートポンプに、そして、適用可能であればいつでも第２の熱交換器に、補助の熱寄与を与えることができる。第３の熱交換器は、また、第１のヒートポンプが動作中でない場合、熱エネルギーを第２のヒートポンプに、そして、適用可能であればいつでも第２の熱交換器に与えるために使用されることができる。
本発明の暖房設備および本発明の方法の更なる好適な実施態様は、従属請求項およびその後の説明から明らかとなるであろう。
本発明は、また、蛇口温水を供給するための本発明の暖房設備の使用法に関し、この場合、第２の回路内の第２の媒体は、前記蛇口温水を供給するために加熱される水である。
【発明を実施するための最良の形態】
【０００４】
本発明の暖房設備１は、３つの別の媒体のための少なくとも３つの回路Ｋ１、Ｋ２、Ｋ３、すなわち、第１の媒体、例えば水を含有する第１の回路Ｋ１、第２の媒体、例えば蛇口温水を備える第２の回路Ｋ２、そして、第３の媒体、例えば水を含有する第３の回路Ｋ３、を備える。本発明に従う暖房設備の異なる実施態様が、図１−６に図式的に示される。例示された暖房設備は、住宅あるいは他の建物およびそれとともに関連づけられる蛇口温水を加熱するように設計されている。本発明の暖房設備は、しかしまた、他の種類の加熱要求を満たすように設計されることもできる。
本発明の暖房設備１は、
−たとえば地熱および／または太陽熱を利用することによって、第１の回路Ｋ１内の第１の媒体を加熱するために第１の回路Ｋ１内に配置される、以下に第１のヒートポンプと称される、ヒートポンプ２の形の第１の熱生成配置、および、
−第３の回路Ｋ３内の第３の媒体から、熱エネルギーを吸収することによって第２の回路Ｋ２内の第２の媒体を加熱するために配置される、以下に第２のヒートポンプと称される、ヒートポンプ３の形の第２の熱生成配置、を更に備える。
図１−６に例示される実施態様において、たとえば従来の油を燃料とするおよび／または木を燃料とする加熱ボイラの形の、また、いわゆる加熱カートリッジによって加熱するための手段を備えることができる、第３の熱生成装置４が、また、第１の媒体に熱を供給するために第１のヒートポンプ２と直列に第１の回路Ｋ１内に配置される。
第１のヒートポンプ２は、エバポレータ２ｃ、コンデンサ２ｄ、コンプレッサ２ｅおよび膨張弁２ｆ、好ましくは電気機械膨張弁を備える。ここで示されない、エバポレータ２ｃに接続される回路内の媒体との熱交換によって、ヒートポンプの作動媒体はエバポレータ２ｃ経由で熱エネルギーを吸収する。作用は、コンプレッサ２ｅ経由で追加され、それによって、ヒートポンプの作動媒体の圧力および温度は増加する。コンデンサ２ｄにおいて、熱エネルギーは、次いで熱交換によって第１の回路Ｋ１内の第１の媒体に放出され、および、ヒートポンプの作動媒体は次いで、圧力および温度の低下を受けるとともに、膨張弁２ｆ経由でエバポレータ２ｃに戻される。その結果として、第１の回路内の第１の媒体とヒートポンプのコンデンサ２ｄとの間の熱交換が可能であるように、ヒートポンプ２は第１の回路Ｋ１に接続されるその出力側を有する。
供給ダクト６によって、加熱ボイラ４の出口４ｂは１つあるいはいくつかの熱放射装置８の入口７に接続される。これらの装置８は、更なる媒体、この場合建物内の空気、を加熱するために使われ、かつ、温水あるいは別の媒体によって動作する従来のラジエータによって、たとえば構成される。熱放射装置の出口９は、戻しダクト１０を用いて第１のヒートポンプの入口２ａに接続されており、そして、第１のポンプの出口２ｂは戻しダクト１０を用いて加熱ボイラの入口４ａに接続されている。
戻しダクト１０および供給ダクト６は、供給ダクト６に位置する第１の点Ｐ１から第１のヒートポンプの出口２ｂと加熱ボイラの入口４ａとの間に位置する点Ｐ２まで配置される第１の接続ダクト１１Ａ経由で、互いに接続される。戻しダクト１０および供給ダクト６は、また、第１のヒートポンプの出口２ｂと加熱ボイラの入口４ａとの間に位置する点Ｐ３から供給ダクト６に位置する点Ｐ４まで配置される第２の接続ダクト１１Ｂ経由で、互いに接続される。この暖房設備は、点Ｐ４とラジエータの入口７との間に位置する点Ｐ５からラジエータの出口９と第１のヒートポンプの入口２ａとの間に位置する点Ｐ６まで配置される第３の接続ダクト１１Ｃ、および、点Ｐ４と点Ｐ５との間に位置する点Ｐ７から点Ｐ６と第１のヒートポンプの入口２ａとの間に位置する点Ｐ８まで配置される第４の接続ダクト１１Ｄ、を更に備える。第２の接続ダクト１１Ｂおよび供給ダクト６で、調節弁１２が点Ｐ４に配置され、および、調節弁１３が点Ｐ５で第３の接続ダクト１１Ｃおよび供給ダクト６にさらに配置される。逆止め弁１４が第１の接続ダクト１１Ａ内に配置され、および、逆止め弁１５がまた、第４の接続ダクト１１Ｄ内に配置される。さらに、戻しダクト１０がまた、第１のヒートポンプ２を迂回するための手段、すなわち第１のヒートポンプ２に対するバイパスダクト１７を構成する位置で、逆止め弁１６が戻しダクト１０内に配置される。最後に述べられた逆止め弁１６は、その結果として第１のヒートポンプの入口２ａと出口２ｂとの間に延伸する戻しダクト１０の一部に配置される。循環ポンプ１８が、第１のヒートポンプのコンデンサ２ｄと戻しダクト１０との間の接続ダクトの１つに配置される。循環ポンプ１９が、また、供給ダクト６内に配置される。最後に述べられた循環ポンプ１９は、代わりとして戻しダクト１０内に配置されることができる。
第２のヒートポンプ３は、エバポレータ３ｃ、コンデンサ３ｄ、コンプレッサ３ｅおよび膨張弁３ｆ、好ましくは電気機械膨張弁を備える。エバポレータ３ｃに接続される第３の回路Ｋ３内の第３の媒体との熱交換によって、ヒートポンプの作動媒体はエバポレータ３ｃ経由で熱エネルギーを吸収する。作用がコンプレッサ３ｅ経由で追加され、それによって、ヒートポンプの作動媒体の圧力および温度は上昇する。コンデンサ３ｄにおいて、熱エネルギーは、次いで熱交換によって第２の回路Ｋ２内の第２の媒体に放出され、そして、ヒートポンプの作動媒体は次いで、圧力および温度の低下を受けるとともに、膨張弁３ｆ経由でエバポレータ３ｃに戻される。その結果として、第２の回路内の第２の媒体とヒートポンプのコンデンサ３ｄとの間の熱交換が可能であるように、第２のヒートポンプ３は第２の回路Ｋ２に接続されるその出力側を有する。
本発明の暖房設備１は、第３の回路Ｋ３内に配置され、かつ、熱を第１のヒートポンプの作動媒体から第３の回路Ｋ３内の第３の媒体に伝導するために第１のヒートポンプのコンデンサ２ｄと膨張弁２ｆとの間に接続される、以下に第１の熱交換器と称される、熱交換器４０を更に備える。さらに、循環ポンプ４３が、第３の回路Ｋ３内に配置される。第１の熱交換器４０は、第３の回路Ｋ３経由で第２のヒートポンプのエバポレータ３ｃに接続され、かつ第２のヒートポンプのエバポレータ３ｃと直列に第３の回路Ｋ３内に配置される。本発明によれば、第１のヒートポンプ２の復水はその結果として第２のヒートポンプ３に熱エネルギーを供給するために利用され、それは次に、第２の媒体を加熱するために、たとえば蛇口温水の加熱を達成するために、この熱エネルギーを利用する。前記熱交換器４０は、第１のヒートポンプ２のいわゆる補助冷却器を構成する。
例示の実施例の全てにおいて、第２のヒートポンプ３は、上記したように蛇口温水を供給するために加熱される水から成ることができる、第２の媒体の最終的加熱のために配置される。最終加熱された蛇口温水は、第２の回路Ｋ２内に配置される蓄熱器２７に適切に蓄積され、その蓄熱器は、２つの接続ダクト２８、２９経由で第２のヒートポンプ３に接続される。循環ポンプ３０が、これらの接続ダクトの１つに配置される。循環ポンプ３２を有する戻しダクト３１が、蓄熱器の上部出口２７ｂと下部入口２７ａとの間に配置される。
図２に例示される実施態様は、この場合の暖房設備１が、第１の媒体と第２の媒体の間の熱交換によって、熱を第１の回路Ｋ１の第１の媒体から第２の回路Ｋ２の第２の媒体に、あるいはその逆に、伝導するために、第１の回路Ｋ１内に配置される熱交換器２１を備えることを除いて、図１に例示されるものと一致する。この熱交換器２１が、従って、必要性が生じた場合、第１の回路Ｋ１の第１の媒体から第２の回路Ｋ２の第２の媒体への熱伝導によって第２の回路Ｋ２内の第２の媒体の加熱に寄与するために使われることができる。第２の回路Ｋ２内の第２の媒体に対する加熱要求が満たされる場合、熱交換器２１は、その代わりとして第２の回路Ｋ２内の第２の媒体から第１の回路Ｋ１内の第１の媒体への熱伝導によって第１の回路Ｋ１内の第１の媒体に熱の寄与を与えるために使用されることができる。この熱交換器２１は、ここで２つの接続ダクト２２、２３経由で供給ダクト６に接続される。循環ポンプ２４が、これらの接続ダクトの１つに配置される。供給ダクト６が熱交換器２１を迂回するための手段、すなわち熱交換器２１のためのバイパスダクト２６、を構成する位置で、逆止め弁２５が供給ダクト６内に配置される。最後に述べられた逆止め弁２５は、従って前記接続ダクト２２、２３の間に延伸する供給ダクト６の一部に配置される。図示の例において、熱交換器２１は第２のヒートポンプのコンデンサ３ｄと蓄熱器２７との間の第３の回路Ｋ３に接続される。
図１および２において例示される実施態様において、蛇口温水の予加熱は実行されず、蓄熱器２７は従ってこれらの場合冷水ダクト８０から直接に冷水を収容するために配置される。
図３に例示される実施態様は、この場合の暖房設備１が、第１の熱交換器４０と直列に第３の回路Ｋ３内に配置される、以下に第２の熱交換器と称される、更なる熱交換器４２を備えることを除いて、図２に例示されるものと一致する。この第２の熱交換器４２は、第３の媒体と第２の媒体との間の熱交換によって熱を第３の回路Ｋ３内の第３の媒体から第２の回路Ｋ２内の第２の媒体に伝導するために配置される。第２の熱交換器４２および第２のヒートポンプのエバポレータ３ｃは、図３にて図示したように、互いに直列に第３の回路Ｋ３内に適切に配置されるが、また、互いに並列に配置されることもできる。第２の熱交換器４２が、第２のヒートポンプのコンデンサ３ｄの上流の第２の回路Ｋ２に接続されて、従って蛇口温水を予熱するために使われる。ここで例示される実施態様において、第２の熱交換器４２はダクト８１経由で蓄熱器２７に接続され、蓄熱器２７は、最終加熱された蛇口温水を蓄積するために配置される。第２の熱交換器４２は、ここで冷水ダクト８０経由で冷水を収容して、予熱された蛇口温水をダクト８１経由で蓄熱器２７に供給するように配置される。
図１に例示される暖房設備を第３の回路Ｋ３と第２の回路Ｋ２との間に配置される上記の種類の第２の熱交換器４２とともに形成することもまた、もちろん、可能であろう。
図４に例示される実施態様は、この場合の暖房設備１が、第４の媒体と第３の媒体との間の熱交換によって熱を第４の媒体から第３の回路Ｋ３内の第３の媒体に伝導するために、第１の熱交換器４０と直列に第３の回路Ｋ３内に配置される、以下に第３の熱交換器と称される、更なる熱交換器４５を備えることを除いて、図３において例示されるものと一致する。第４の媒体は適切に周囲空気であり、この場合、第３の熱交換器４５は空気熱変換器である。この空気熱変換器４５は、このヒートポンプ２の動作中に生成される高い気温を利用するために第１のヒートポンプ２と同じ部屋の中に適切に設置される。第３の熱交換器４５は、また、第１のヒートポンプ２が使われなくてあるいは低程度に使われるだけの場合、第３の回路Ｋ３内の第３の媒体を加熱するためのエネルギーを与える別の種類の熱交換器とすることができ、そのため、第１のヒートポンプ２が第３の回路Ｋ３内の第３の媒体に充分な熱エネルギーを生成していないような動作モード中に、所望の加熱効果が、第２のヒートポンプ３経由でおよび／または第２の熱交換器４２経由で得られるようにすることができる。第３の熱交換器４５は、例示された場合では、第２の熱交換器４２と第１の熱交換器４０との間の第３の回路Ｋ３内に配置される。
図１および２に例示される暖房設備を第１の熱交換器４０と直列に第３の回路Ｋ３内に配置される図４に関して記載される種類の熱交換器４５とともに形成することもまた、もちろん可能であろう。
図５に例示される実施態様は、この場合の暖房設備１が、また、第３の媒体を蓄積するために第１の熱交換器４０と直列の第３の回路Ｋ３内に配置される蓄熱器４４を備えることを除いて、図４に例示されるものと一致する。蓄熱器４４は、例示された場合では、第２の熱交換器４２と第３の熱交換器４５との間の第３の回路Ｋ３内に配置される。
図１−３に例示される暖房設備を第１の熱交換器４０と直列に第３の回路Ｋ３内に配置される図５に関して記載される種類の蓄熱器とともに形成することもまた、もちろん可能であろう。
図６に例示される実施態様は、この場合の暖房設備１が、熱を第２のヒートポンプの作動媒体から第１の回路Ｋ１内の第１の媒体に伝導するために、第１の回路Ｋ１内に配置され、かつ、第２のヒートポンプのコンデンサ３ｄと膨張弁３ｆとの間に接続される、更なる熱交換器４６を備えることを除いて、図２に例示されるものと一致する。この実施態様によれば、第２のヒートポンプ３の復水は、従って第１の媒体に熱エネルギーを供給するために利用される。前記熱交換器４６は、第２のヒートポンプ３のいわゆる補助冷却器を構成する。この熱交換器４６は、ここで２つの接続ダクト４７、４８経由で供給ダクト６に接続される。スロットルバルブ４９が、前記接続ダクト４７、４８の間に延伸する供給ダクト６の一部に配置される。
図１および３−５に例示される暖房設置を第１の回路Ｋ１内に配置され、かつ第２のヒートポンプのコンデンサ３ｄと膨張弁３ｆとの間に接続される、図６に関して記載される種類の熱交換器４６とともに形成することもまた、もちろん可能であろう。
本発明は、もちろんいかなる形であれ上記した好適な実施態様に限定されない。これに反して、その変更に対する多くの可能性は、添付の特許請求の範囲において定義した本発明の基本思想から逸脱することなく、当業者にとって明らかである。
【図面の簡単な説明】
【０００５】
同封の図面に関して、本発明の実施態様例のより具体的な説明が、以下に続く。示されるのは、
【図１】本発明の第１の実施例に従う暖房設備の概略図、
【図２】本発明の第２の実施態様に従う暖房設備の概略図、
【図３】本発明の第３の実施態様に従う暖房設備の概略図、
【図４】本発明の第４の実施態様に従う暖房設備の概略図、
【図５】本発明の第５の実施態様に従う暖房設備の概略図、そして、
【図６】本発明の第６の実施態様に従う暖房設備の概略図。
【図１】
2008522125.tif 000003
【図２】
2008522125.tif 000004
【図３】
2008522125.tif 000005
【図４】
2008522125.tif 000006
【図５】
2008522125.tif 000007
【図６】
2008522125.tif 000008
【国際調査報告】
2008522125.tif 000009
2008522125.tif 000010
2008522125.tif 000011